(57)【要約】【課題】本発明は構造骨組立体から覆いシートを容易に取り外しでき、且つ周囲の大気並びに地面に対する気密構造も容易に形成できる、鮮度保持薬剤等による養生処理に求められる気密性を容易に形成できる、構造簡素にして安価な組立形テントを提供するものである。【解決手段】構造骨１を継手２を介して分解組立可能にした室空間形成用の構造骨組立体３を形成し、該構造骨組立体３の内面に内張りされる天面内張りシート７と周面内張りシート８を有する袋状内張りシート９を形成し、該袋状内張りシート９を構造骨組立体３の天枠骨４に係脱可能な吊り具１０を介して吊設し、更に上記構造骨組立体３の底枠骨５の下部開口面を地面敷設シート１３で覆い、該地面敷設シート１３の周縁部と上記周面内張りシート８の下縁部とを接合し、上記周面内張りシート８に開閉可能な出入口１４を設けた組立形テント。【選択図】        図２
2006265900.tif 000002
【特許請求の範囲】
【請求項１】
構造骨を継手を介して分解組立可能にした室空間形成用の構造骨組立体を形成し、該構造骨組立体の内面に内張りされる天面内張りシートと周面内張りシートを有する袋状内張りシートを形成し、該袋状内張りシートを構造骨組立体の天枠骨に係脱可能な吊り具を介して吊設し、更に上記構造骨組立体の底枠骨の下部開口面を地面敷設シートで覆い、該地面敷設シートの周縁部と上記周面内張りシートの下縁部とを接合し、上記周面内張りシートに開閉可能な出入口を設けたことを特徴とする組立形テント。
【請求項２】
上記袋状内張りシートが透明の合成樹脂シートから成ることを特徴とする請求項１記載の組立形テント。
【請求項３】
上記地面敷設シートの周縁を上記周面内張りシートとの接合部から側方へ張り出してフランジを形成し、該フランジに上記構造骨組立体の底枠骨を載置することを特徴とする請求項１記載の組立形テント。
【請求項４】
上記構造骨組立体の天枠骨に生鮮果物又は生鮮野菜を養生処理するための養生気体発生装置を支持する支持手段を設けたことを特徴とする請求項１記載の組立形テント。
【請求項５】
上記袋状内張りシートを形成する周面内張りシートに開口を設け、該開口に上記構造骨組立体と一体に組立てられるドア枠骨を配設し、該周面内張りシートの開口縁を該ドア枠骨に密着し、該ドア枠骨の開口面を覆う開閉可能なドアを設け上記出入口を形成したことを特徴とする請求項１記載の組立形テント。
【発明の詳細な説明】
【技術分野】
【０００１】
本発明は分解組立可能な室空間形成用の構造骨組立体にシートを張設して成る組立形テント、殊に生鮮果物又は生鮮野菜の養生に用いる組立形の農業用養生テント、代表例として生鮮果物又は生鮮野菜を鮮度保持薬剤等で処理する場合に好適に用いられる組立形の農業用養生テントに関する。
【背景技術】
【０００２】
特許文献１乃至４は本発明の組立形テントに関連する構造の組立形テントを示しており、これらは何れも構造骨組立体の外面に袋状シート等の覆いシートを外張りするか、又は構造骨組立体の開口部の内部にパネルを組み込む構造である。
【０００３】
又床面は地面を直接室内に露出させるか、又は床骨にて高床を構築する構造である。
【特許文献１】実開昭５２−６１７３５号公報「組立式ビニルハウス」
【特許文献２】実開昭５７−１５４３号公報「小形温室」
【特許文献３】実開昭５８−１５５９５８号公報「組立式保温ボックス」
【特許文献４】特開２００１−３３３６４８号公報「簡易温室」
【発明の開示】
【発明が解決しようとする課題】
【０００４】
而して室空間形成用の構造骨組立体の外面に覆いシートを外張りする構造とした場合、覆いシートが構造骨の角等と接する部分において早期に損傷する問題、覆いシートが、内在する構造骨組立体によって制限され、構造骨組立体に馴良する設計が要求され、構造骨組立体の寸法が大きい場合には使用し難い。又総じて覆い作業と分解作業に手間が掛かる等の問題を有している。
【０００５】
特に生鮮果物等を鮮度保持気体で養生する養生テントにおいては、周囲の大気並びに地面との気密性が要求されるが、上記特許文献１乃至４に代表されるテントは構造上、この周囲の大気並びに地面に対する気密性の確保に適切に応え難い。
【課題を解決するための手段】
【０００６】
本発明は構造骨組立体から覆いシートを容易に取り外しでき、且つ周囲の大気並びに地面に対する気密構造も容易に形成でき、従って鮮度保持薬剤等の養生気体処理に求められる気密性を容易に形成できる、構造簡素にして安価な組立形テントを提供するものである。
【０００７】
要述すると、構造骨を継手を介して分解組立可能にした室空間形成用の構造骨組立体を形成し、該構造骨組立体の内面に天面内張りシートと周面内張りシートを有する袋状内張りシートを内装し、該袋状内張りシートを構造骨組立体の天枠骨に係脱可能な吊り具を介して吊設する構造にする。
【０００８】
更に上記構造骨組立体の底枠骨の下部開口面を地面に敷設される地面敷設シートで覆い、該地面敷設シートの周縁部と上記周面内張りシートの下縁部とを接合し、全体を中空状シートにする。
【０００９】
そして上記周面内張りシートに開閉可能な出入口を設ける。例えば上記袋状内張りシートを形成する周面内張りシートに開口を設け、該開口に上記構造骨組立体と一体且つ分解組立可能に組立てられるドア枠骨を配設し、該周面内張りシートの開口縁を該ドア枠骨に密着し、例えばドア枠骨に周面内張りシートの開口縁を巻き込み、又は押し込みする等して密着し、該ドア枠骨の開口面を覆う開閉可能なドアを設け上記出入口を形成する。
【００１０】
上記袋状内張りシートは透明の合成樹脂シート、例えば補強糸で補強された透明の合成樹脂シートを用い、室内を透視可能にする。
【００１１】
又上記地面敷設シートの周縁を上記周面内張りシートとの接合部から側方へ張り出してフランジを形成し、該フランジに上記構造骨組立体の底枠骨を載置して地面敷設シートの押さえを図ると共に、袋状内張りシートの押さえを図る。
【００１２】
上記組立形テントを農業用養生テント、殊に生鮮果物や生鮮野菜を鮮度保持薬剤や脱渋薬剤等から発生する養生気体により養生する場合の養生テントとして好適であり、この場合、上記構造骨組立体の天枠骨に養生気体発生装置を支持する支持棚や吊り具等の支持手段を設ける。
【発明の効果】
【００１３】
本発明に係る組立形テントは、袋状内張りシートの吊り具を解除するのみで、袋状内張りシートを構造骨組立体から分離して地面敷設シート上に落下することができ、又袋状内張りシートを構造骨組立体の天枠骨に吊設するのみで室空間の形成が容易に行え、総じて構造骨組立体に対する覆いシートの分解並びに組立てが頗る容易である。
【００１４】
又覆いシートを形成する袋状内張りシートは構造骨組立体に制限されず、構造骨組立体の多少の寸法差にも容易に対応し得る。
【００１５】
又従来例における覆いシートの内面を制限する構造骨組立体によるシート損傷を解消する。
【００１６】
更には地面に敷設される地面敷設シートと上記袋状内張りシートとの協働により、周囲の大気並びに地面に対する良好な気密性を図り、該気密構造が容易に形成できる。
【００１７】
上記組立形テント内への生鮮果物等の収容乃至搬出は上記周面内張りシートに設けた開閉可能な出入口により行い、この出入口は周面内張りシートの開口縁をドア枠骨に巻き込み、又は押し込む等して密着を図り、出入口周縁における気密組立てを容易にする。
【００１８】
又上記袋状内張りシートは透明の合成樹脂シート、例えば補強糸で補強された透明の合成樹脂シートを用い、室内の生鮮果物等を透視可能にする。
【００１９】
又上記地面敷設シートはその周縁に張り出したフランジに上記構造骨組立体の底枠骨を載置することにより、地面敷設シートと袋状内張りシートの押さえを図り、即ち覆いシート全体の押さえを図り、覆いシートがみだりに遊動するのを防止する。
【００２０】
上記組立形テントは農業用養生テント、殊に生鮮果物や生鮮野菜を鮮度保持薬剤や脱渋薬剤等で処理する場合の養生テントとして好適に用いることができ、この場合、上記構造骨組立体の天枠骨に上記薬剤から養生気体を発生させるための養生気体発生装置を支持する支持手段を設け、室空間内への養生気体の広がりを助長する。
【発明を実施するための最良の形態】
【００２１】
前記のように本発明は構造骨組立体から覆いシートを容易に取り外しでき、且つ周囲の大気並びに地面に対する気密構造も容易に形成でき、従って鮮度保持薬剤等から発生する養生気体で処理する場合に求められる気密性を容易に形成できる、構造簡素にして安価な組立形テントを提供するものである。
【００２２】
以下上記組立形テントの具体例を図１乃至図５に基づいて説明する。
【００２３】
上記組立形テントは構造骨１を継手２を介して分解組立可能にした室空間形成用の構造骨組立体３により構築する。
【００２４】
この構造骨組立体３の各構造骨１を管継手等の継手２を介して分解組立可能にする構造は、前記特許文献１乃至４に示すように既知であり、これら既知の分解組立構造の使用が可能である。
【００２５】
具体例につき説明すると、構造骨１を方形に配し且つ各構造骨１を各コーナー部において管継手から成る三方エルボ等の継手２を介し分解可能に連結し天枠骨４を形成する。
【００２６】
同様に構造骨１を方形に配し且つ各構造骨１を各コーナー部において管継手から成る三方エルボ等の継手２を介し分解可能に連結し底枠骨５を形成する。
【００２７】
更に上記天枠骨４と底枠骨５間を支柱を構成する構造骨１にて連結し、該支柱構造骨１の上下端を上記三方エルボから成る管継手２の一つの管継手に差し込んで連結し、上記構造骨組立体３を分解可能に組立てる。
【００２８】
又上記天枠骨４の中央部において交差する補強骨６を四方エルボから成る管継手２を介して十字形に分解可能に連結し、各補強骨６の端部を上記天枠骨４を構成する各構造骨１にＣ形管継手２を介して分解可能に連結する。
【００２９】
上記天枠骨４と底枠骨５の構造骨１と支柱間は筋交いを形成する補強骨６にて継手２を介し分解可能に連結する。
【００３０】
他方天面内張りシート７と周面内張りシート８を有する袋状内張りシート９を形成し、該袋状内張りシート９を上記構造骨組立体３の天面と側面に内張りし、該袋状内張りシート９を構造骨組立体３の天枠骨４を形成する構造骨１に係脱可能な吊り具１０を介して吊設する。
【００３１】
上記袋状内張りシート９は透明の合成樹脂シート、例えば補強糸で補強された透明の合成樹脂シートを用い、室内、即ち室内の収容物を透視可能にすると共に、太陽光を透過可能とする。
【００３２】
更に上記構造骨組立体３の底枠骨５の下部開口面を地面に敷設される地面敷設シート１３で覆い、該地面敷設シート１３の周縁部と上記周面内張りシート８の下縁部とを接着乃至高周波シールによる融着等にて接合し、覆いシート全体を中空状シートにする。
【００３３】
上記吊り具１０としてはクリップ、面ファスナーベルト、吊り輪等を用いることできる。例えばクリップ又は面ファスナーベルトから成る吊り具１０を天枠骨４を形成する構造骨１、又は上記袋状内張りシート９の天面内張りシート７の周縁部に予め取り付けて置く。
【００３４】
又は天枠骨４の構造骨１を貫挿する吊り輪を上記袋状内張りシート９の天面内張りシート７の周縁部に予め取り付けて置く。
【００３５】
具体例につき詳述すると、上記袋状内張りシート９の天面内張りシート７の周縁部と周面内張りシート８の上縁部で形成する角辺の外面にパッド１１を貼付し、該パッド１１によって支持された角辺から外方へ突設せる面ファスナーベルト１２を設け、該面ファスナーベルト１２を天枠骨４を形成する構造骨１に巻き付けて係着することにより、袋状内張りシート９並びに地面敷設シート１３を該構造骨１に係脱可能に吊設する。
【００３６】
又は上記袋状内張りシート９の天面内張りシート７の周縁部と周面内張りシート８の上縁部で形成する角辺からフック等の吊り具を突設し、該吊り具を天枠骨４を形成する構造骨１に掛け止めして袋状内張りシート９並びに地面敷設シート１３を該構造骨１に係脱可能に吊設する。
【００３７】
上記周面内張りシート８には開閉可能に密閉される出入口１４を設ける。例えば上記袋状内張りシート９乃至中空状シートを形成する周面内張りシート８に開口１５を設け、該開口１５に上記構造骨組立体３と管継手２を介し一体且つ分解組立可能に組立てられるドア枠骨１６を配設し、該周面内張りシート８の開口縁を該ドア枠骨１６に密着する。
【００３８】
例えばドア枠骨１６に周面内張りシート８の開口縁を巻き込み、又は押し込みする等して密着し、該ドア枠骨１６の開口面を覆う開閉可能なドア１４ａを設け上記出入口１４を形成する。
【００３９】
具体例としてドア枠骨１６を外向きコ字形チャンネルから成る内側ドア枠骨１６ａと、外向きコ字形チャンネルから成る外側ドア枠骨１６ｂとによって形成し、外側ドア枠骨１６ｂをドア１４ａの内周縁に一体に取り付け、両ドア枠骨１６ａ，１６ｂ間にパッキン材１８ａを配し、ドア１４ａの周縁部においてクリップ１７により両ドア枠骨１６ａ，１６ｂを挟着し、両ドア枠骨１６ａ，１６ｂ間の気密を図る。
【００４０】
上記ドア１４ａは外側ドア枠骨１６ｂの縦方向の一辺を内側ドア枠骨１６ａの縦方向の一辺にヒンジを介して片開き可能に結合することができる。
【００４１】
又上記周面内張りシート８の出入口１４を形成する開口縁を上記内側ドア枠骨１６ａのチャンネル溝内にパッキン材１８ｂを介して巻き込み、即ちパッキン材１８ｂに周面内張りシート８の開口縁を巻き付け、これを上記内側ドア枠骨１６ａのチャンネル溝内に押し込むことにより、同シート８の開口縁を同ドア枠骨１６ａに密着せしめ気密を図る。
【００４２】
上記地面敷設シート１３はその周縁を上記周面内張りシート８下縁との接合部から側方へ張り出してフランジ１９を形成し、該フランジ１９に上記構造骨組立体３の底枠骨５を載置して地面敷設シート１３の押さえを図ると共に、袋状内張りシート９の押さえを図り、よって覆いシート全体を押さえ、遊動を防止する。
【００４３】
上記組立形テントは農業用養生テント、殊に生鮮果物や生鮮野菜を鮮度保持薬剤や脱渋薬剤等により養生する養生テントとして好適に用いることができる。この場合、上記構造骨組立体３の天枠骨４に上記薬剤から養生気体を発生させるための養生気体発生装置を支持する支持棚２０等の支持手段を設ける。好ましくは該支持棚２０等の支持手段を天枠骨４の中央補強骨６の中央クロス部に配置する。即ち天面内張りシート７の中央部に配置する。
【００４４】
上記組立形テントにおいては、袋状内張りシート９の吊り具１０を解除するのみで該袋状内張りシート９を構造骨組立体３から分離して地面敷設シート１３上に落下することができる。
【００４５】
又袋状内張りシート９を構造骨組立体３の天枠骨４に吊設するのみで室空間を形成できる。総じて構造骨組立体３に対する覆いシートの分解並びに組立てが頗る容易である。
【００４６】
又覆いシートを形成する袋状内張りシート９は構造骨組立体３に制限されず、構造骨組立体３の多少の寸法差にも容易に対応し得る。又構造骨組立体３による覆いシートの損傷を有効に解消する。
【００４７】
更に地面に敷設される地面敷設シート１３とこれに接合される上記袋状内張りシート９との協働により、周囲の大気並びに地面に対する気密性を図る構造が容易に形成できる。
【００４８】
上記組立形テント内への生鮮果物又は生鮮野菜等の収容乃至搬出は上記周面内張りシート９に設けた開閉可能な出入口１４により行い、この出入口１４は周面内張りシート８の開口縁をドア枠骨１６に巻き込み、又は押し込む等して密着し、出入口１４周縁における気密組立てを容易にする。
【００４９】
又上記地面敷設シート１３はその周縁に張り出したフランジ１９に上記構造骨組立体３の底枠骨５を載置して覆いシート全体の押さえを図り、袋状内張りシート９並びに地面敷設シート１３がみだりに遊動するのを防止する。
【００５０】
又上記組立形テントの上記構造骨組立体３の天枠骨４に設けた養生気体の発生装置の支持棚２０により、養生気体発生装置の設置の便に供し、天井からの室空間内への養生気体の広がりを助長し、養生を健全に遂行できる。
【図面の簡単な説明】
【００５１】
【図１】組立形テントを形成する構造骨組立体の斜視図。
【図２】上記構造骨組立体に袋状内張りシートを吊設し地面敷設シートを敷設した状態を示す斜視図。
【図３】同側面図。
【図４】上記袋状内張りシートを面ファスナーベルトにより構造骨組立体の天枠骨に係脱可能に吊設した状態を示す要部断面図。
【図５】組立形テントの出入口をドアにより形成した状態を示す横断面図。
【符号の説明】
【００５２】
１…構造骨、２…継手、３…構造骨組立体、４…天枠骨、５…底枠骨、６…補強骨、７…天面内張りシート、８…周面内張りシート、９…袋状内張りシート、１０…吊り具、１１…パッド、１２…面ファスナーベルト、１３…地面敷設シート、１４…出入口、１４ａ…ドア、１５…開口、１６…ドア枠骨、１６ａ…内側ドア枠骨、１６ｂ…外側ドア枠骨、１７…クリップ、１８ａ，１８ｂ…パッキン材、１９…フランジ、２０…支持棚。
【図１】
2006265900.tif 000003
【図２】
2006265900.tif 000004
【図３】
2006265900.tif 000005
【図４】
2006265900.tif 000006
【図５】
2006265900.tif 000007